(57)【要約】【課題】被覆部材が芯材から外れにくく、組み付けが容易で手触り感の良好な手すり部材の提供を目的とする。【解決手段】芯材と前記芯材を被覆した被覆部材を備え、前記被覆部材は前記芯材に組付けるために拡径及び開口する端部を長手方向に沿って有し、前記開口する両側の端部は組み付け後に相互に係止し、当該被覆部材が閉断面形状になる係止部を有することを特徴とする。【選択図】  図１
2019039213.tif 000002
【特許請求の範囲】
【請求項１】
芯材と前記芯材を被覆した被覆部材を備え、
前記被覆部材は前記芯材に組付けるために拡径及び開口する端部を長手方向に沿って有し、
前記開口する両側の端部は組み付け後に相互に係止し、当該被覆部材が閉断面形状になる係止部を有することを特徴とする手すり部材。
【請求項２】
前記芯材は前記被覆部材の組み付け時に被覆部材の前記一方の端部に係合するための係合部を有することを特徴とする請求項１記載の手すり部材。
【請求項３】
前記被覆部材は樹脂製であり前記係止部が他の一般部よりも硬い樹脂製であることを特徴とする請求項１又は２記載の手すり部材。
【請求項４】
前記芯材は金属芯と当該金属芯の外周部に配設した樹脂芯からなるとともに折り曲げ可能であり、
前記樹脂芯に前記係合部を有することを特徴とする請求項２記載の手すり部材。
【発明の詳細な説明】
【技術分野】
【０００１】
本発明は、手すりとして使用される手すり部材に関し、特にその断面構造に係る。
【背景技術】
【０００２】
手すりは人が歩行する際の支えに、あるいは立ち上がる際に手で握り、体を支えるものであるから強度が必要であり、その一方で人が手で握る際にソフト感が要求される。
そこで、芯材に樹脂からなる被覆部材で覆う構造のものが提案されている。
例えば、特許文献１に笠木芯材の外周開口部に被覆体の両端部を係止させるように組み付けた手すり笠木を開示する。
しかし、このような手すり部材にあっては、同公報図５に示すように下方に開放部を有するため、指や物等が挟まる恐れがあり、危険である。
また、人が握った際にソフト感を付与しようとして、軟らかい樹脂を採用すると、手で握った際にＣ断面形状の被覆部材にねじれが生じ、芯材から外れる恐れがあることから、一般に硬質又は半硬質の樹脂材が使用されている。
しかし、そのような硬い樹脂では、常温の状態で開放部を開いて組付けることはできないため、ヒーター等で加温し、軟化させながら組み付けなければならず、組み付け作業が大変であった。
また、硬い樹脂のため、手触り感が悪い問題も残る。
【先行技術文献】
【特許文献】
【０００３】
【特許文献１】特開２０１５−１９４０４４号公報
【発明の概要】
【発明が解決しようとする課題】
【０００４】
本発明は、被覆部材が芯材から外れにくく、組み付けが容易で手触り感の良好な手すり部材の提供を目的とする。
【課題を解決するための手段】
【０００５】
本発明に係る手すり部材は、芯材と前記芯材を被覆した被覆部材を備え、前記被覆部材は前記芯材に組付けるために拡径及び開口する端部を長手方向に沿って有し、前記開口する両側の端部は組み付け後に相互に係止し、当該被覆部材が閉断面形状になる係止部を有することを特徴とする。
ここで、被覆部材の開口する両側の端部が相互に係止するとは、端部同士が開かないように相互にこの端部が干渉することをいう。
よって、爪状の係止部でもよく、また一方の端部が他方の端部に設けた凹部に嵌合する形態でもよい。
また芯材は、強度面から金属製であるのが好ましい。
【０００６】
本発明において、芯材は前記被覆部材の組み付け時に被覆部材の前記一方の端部に係合するための係合部を有するようにしてもよい。
このようにすると、被覆部材の長手方向に沿って開口した一方の端部を芯材の係合部に係合させることができるので、他方の端部を広げるようにして芯材に組み付ける際に、被覆部材が回るようにずれるのを防止し、組み付けが容易になる。
【０００７】
本発明において、被覆部材は樹脂製であり前記係止部が他の一般部よりも硬い樹脂製であってもよい。
このようにすると、被覆部材の硬い端部が芯材の係合部に強固に嵌合し芯材に組み付けやすく外れにくい。
また、係止部以外の一般部を軟らかいソフト感のある樹脂を用いることもでき、手触り感が良くなる。
【０００８】
本発明において、前記芯材は金属芯と当該金属芯の外周部に配設した樹脂芯からなるとともに折り曲げ可能であり、前記樹脂芯に前記係合部を有するようにしてもよい。
このようにすると、曲げが必要な手すりのコーナー部に適用できる。
【発明の効果】
【０００９】
本発明に係る手すり部材は、芯材に組み付け後の被覆部材の断面が閉断面になるので、手指等が挟まる恐れがない。
また、組み付け後に被覆部材が閉断面になるので、ねじれて外れることが無くなり、ソフト感のある軟らかい樹脂を用いることができ、芯材に被覆部材の開口部を室温で広げて組み付けることができるので、組み付け作業も容易になる。
【図面の簡単な説明】
【００１０】
【図１】（ａ）〜（ｆ）は芯材に被覆部材を組み付ける流れを示す。
【図２】曲げコーナー部の実施例を示す。
【図３】（ａ）〜（ｅ）に曲げコーナー部の使用例を示す。
【発明を実施するための形態】
【００１１】
本発明に係る手すり部材の構造例を以下図に基づいて説明するが、本発明はこれに限定されない。
【００１２】
図１（ａ）は、樹脂材からなる被覆部材２０の断面を示す。
断面Ｃ型形状の軟質部２４の一方の端部に、相対的に硬質材からなる嵌合端部２１を有し、他方の端部にこれも一般部の軟質部２４より相対的に硬質材からなる係止端部２２を有する。
この嵌合端部２１に係止端部２２が係止することで、図１（ｆ）に示すように係止部（Ａ）が形成される。
【００１３】
軟質部はＪＩＳ  Ｋ  ７２１５のＡ形硬度６０〜８５程度が好ましく、また表面の意匠部とその内側のコア部の多層構造でもよい。
コア部に軟らかいソフト感のある樹脂を選定し、表面の意匠部をそれよりも硬い樹脂を採用し、汚れが付着しにくいものがよい。
嵌合端部２１と係止端部２２とは、ＪＩＳ  Ｋ  ７２１５のＡ形硬度９０〜１００程度のものがよい。
これにより、図１（ａ）に矢印で示したように、常温（室温）にて嵌合端部２１と係止端部２２とを把持し、拡径するように広げることができる。
【００１４】
図１（ｂ）に、金属材を用いてフォーミング成形した芯材１０の断面図を示す。
芯材１０は、建築物の壁面や床面から立設したブラケットの先端部を差し込むためでもある開口した係合部１１を有する。
この係合部１１は、両側の端部がそれぞれ外側に向けて折り曲げた曲げ端部１１ａ，１１ｂになっていて、この間に被覆部材２０の一方の端部、本実施例では嵌合端部２１の内側を略台形形状にした係合端部２３が係合するようになっている。
【００１５】
図１（ｂ）に示すように、嵌合端部２１と係止端部２２とを持って、被覆部材２０を拡径するように広げ、芯材１０を内側に組み込んだ後に係合端部２３を芯材１０の係合部１１に係合させるようにして、他方の端部である係止端部２２を図１（ｃ），（ｄ）に示すように廻り込ませるようにして、嵌合端部２１に位置合せをする。
係止端部２２の先端爪部２２ａは、爪状の斜面部を有し、嵌合端部２１の先端爪部２１ａは、上記先端爪部２２ａとは対向する方向に斜面部を形成した爪形状になっている。
これにより、図１（ｅ）に矢印で示すように係止端部２２を押し込むと、先端爪部２１ａ，２２ａ同士が嵌合係止するように係止し、係止部（Ａ）を形成する。
その状態を図１（ｆ）に示す。
このように、被覆部材２０の両側の端部同士が、いわゆるクリンチロック状態になるので、強固な締結状態になる。
【００１６】
図２，図３に、本発明に係る断面構造を曲げコーナー部の手すり部材に展開した例を示す。
芯材として曲げることができるように、金属芯３１の外周に、樹脂芯として樹脂製の内筒部３２とその外側に樹脂製の外筒部３３を有する。
内筒部３２と外筒部３３とは、相互に回動可能になっている。
この外筒部３３に係合部３４を形成し、被覆部材２０の係合端部２３を係合させるようにした例である。
本実施例では、外筒部３３の係合部３４の両側の端部に相対的に強度が高い硬質の係合端部材３５ａ，３５ｂを形成し、係合状態が強固になるようにしてある。
これにより、図３（ｃ）に示すように係合部が下側に位置するように上方に向けて折り曲げたコーナー部、（ｄ）に示すように係合部が下側に位置するように下方に向けて折り曲げたコーナー部、（ｅ）に示すように横方向に折り曲げたコーナー部等、いずれの方向に折り曲げたコーナー部に対しても係合部を下側にして、被覆部材２０をカバーとして芯材に組み付けることができる。
【符号の説明】
【００１７】
１０      芯材
１１      係合部
２０      被覆部材
２１      嵌合部材
２２      係止端部
２３      係合端部
２４      軟質部
（Ａ）    係止部
【図１】
2019039213.tif 000003
【図２】
2019039213.tif 000004
【図３】
2019039213.tif 000005